(57)【要約】【課題】例えば、調理する際には容器として使え、調理後は容器をワンタッチで平皿のように展開して中身を容易に取り出すことが可能な易展開性紙トレー状容器を提供すること。【解決手段】各一対ずつのコーナーフラップ（１６）を山折りしてコーナーフラップの先端同士が近接するように折り曲げたとき、コーナーフラップが折り曲げられた側面板（１２）に連設するフランジ（１３）の端縁に、近接する一対の折り曲げたコーナーフラップの先端部分（１６１）を覆うようにそれぞれ折り曲げ線を介してフランジと略同幅のフランジ重合片（１８）とフランジ延長片（１７）が順次連設されている。【選択図】図１
2004352330.tif 000002
【特許請求の範囲】
【請求項１】
方形の底面板の互いに相対向する各一対の二辺には、それそれ折り曲げ線を介して側面板とフランジが順次連設され、
前記各フランジの左右端はそれぞれ横方向に延びてフランジと略同幅のフランジ舌片が形成され、
各側面板と側面板の間には、隣接する側面板を互いに連設するコーナーフラップが設けられ、該コーナーフラップには、底面板の各隅部を起点にして斜め外方に向けて各コーナーフラップを略二等分する折り曲げ線が設けられ、
たブランクを組み立てた上面が開口した紙製トレー状容器であって、
前記各一対ずつのコーナーフラップを山折りしてコーナーフラップの先端同士が近接するように折り曲げたとき、
コーナーフラップが折り曲げられた側面板に連設するフランジの端縁に、前記近接する一対の折り曲げたコーナーフラップの先端部分を覆うように、それぞれ折り曲げ線を介してフランジと略同幅のフランジ重合片とフランジ延長片が順次連設されていることを特徴とする、易展開性紙製トレー状容器。
【請求項２】
前記フランジ延長片は、該フランジ延長片に重なる側面板とのみ接着していることを特徴とする、請求項１記載の易展開性紙製トレー状容器。
【請求項３】
前記フランジ延長片は、該フランジ延長片に重なる側面板と、前記山折りしたコーナーフラップの先端同士とに接着していることを特徴とする、請求項１記載の易展開性紙製トレー状容器。
【請求項４】
前記フランジ延長片は、該フランジ延長片とフランジ重合片の境界の折り曲げ線に、フランジ重合片寄りに突出した突起を形成させ、該突起と嵌合していることを特徴とする、請求項１記載の易展開性紙製トレー状容器。
【請求項５】
前記相対向する一対のフランジは、前記フランジ延長片が連設していない方のフランジ舌片を上にして組み立てられていることを特徴とする、請求項１〜４のいずれか１項に記載の易展開性紙製トレー状容器。
【発明の詳細な説明】
【０００１】
【発明の属する技術分野】
本発明は、紙製のトレー状容器に関するものであり、特には、一度組み立てたトレー状容器を簡単に展開することが可能な易展開性の紙製トレー状容器に関する。
【０００２】
【従来の技術】
従来、紙製トレー状容器には、図６（ａ）、（ｂ）に示すような舌片（５１）を側面板（５２）に貼着したもの、あるいは、図７（ａ）、（ｂ）に示すような４つの隅部で折り込み接合片（６１）と第２折り込み接合片（６２）を２つ折りした後、側面板（６３）に接着させたものなどが流通している。
しかしいずれの方式も隅部を糊付けするなど、強固に接着しているためリジッドにできていて、展開しようとしても紙が破れたり、潰れたりして簡単には剥がすことができず展開しずらいという問題があった。
【０００３】
また、押しつぶして偏平状にする紙製容器はある（例えば、特許文献１参照）。
【０００４】
【特許文献１】
実開平５−１６６１９号公報（第２頁）
【０００５】
しかし、展開しずらいという点では同様であるし、側面板を内側に倒すようにして折り畳むので、内容物を取り出し易くするという作業には適さないものである。
【０００６】
【発明が解決しようとする課題】
本発明は、紙製トレー状容器に関する以上のような問題を解決するためになされたもので、ケーキ、菓子等を調理する際は、容器として使え、調理した後は容器をワンタッチで平皿のように展開して中身を容易に取り出すことが可能な、あるいは、ケーキ、菓子等を取り出してそのまま食べる際には、容器をワンタッチで平皿のように展開して中身を容易に取り出すことが可能な、易展開性紙製トレー状容器を提供することを課題とする。
【０００７】
【課題を解決するための手段】
本発明の請求項１の発明は、方形の底面板の互いに相対向する各一対の二辺には、それそれ折り曲げ線を介して側面板とフランジが順次連設され、前記各フランジの左右端はそれぞれ横方向に延びてフランジと略同幅のフランジ舌片が形成され、各側面板と側面板の間には、隣接する側面板を互いに連設するコーナーフラップが設けられ、該コーナーフラップには、底面板の各隅部を起点にして斜め外方に向けて各コーナーフラップを略二等分する折り曲げ線が設けられたブランクを組み立てた上面が開口した紙製トレー状容器であって、前記各一対ずつのコーナーフラップを山折りしてコーナーフラップの先端同士が近接するように折り曲げたとき、コーナーフラップが折り曲げられた側面板に連設するフランジの端縁に、前記近接する一対の折り曲げたコーナーフラップの先端部分を覆うように、それぞれ折り曲げ線を介してフランジと略同幅のフランジ重合片とフランジ延長片が順次連設されていることを特徴とする、易展開性紙製トレー状容器である。
【０００８】
このように請求項１記載の発明によれば、コーナーフラップが折り曲げられた側面板に連設するフランジの端縁に、前記近接する一対の折り曲げたコーナーフラップの先端部分を覆うように、それぞれ折り曲げ線を介してフランジと略同幅のフランジ重合片とフランジ延長片が順次連設されているので、一対のフランジ延長片の先端を持って引っ張ることによりフランジ延長片は側面板から離れて側面板は自動的に開いて容器は展開状態になる。
【０００９】
また、請求項２の発明は、請求項１の発明において、前記フランジ延長片は、該フランジ延長片に重なる側面板とのみ接着していることを特徴とする、易展開性紙製トレー状容器である。
【００１０】
このように請求項２記載の発明によれば、フランジ延長片は、該フランジ延長片に重なる側面板とのみ接着しているので、フランジ延長片を引っ張るのみで容易に側面板から離れて容器は展開可能になる。
【００１１】
また、請求項３の発明は、請求項１の発明において、前記フランジ延長片は、該フランジ延長片に重なる側面板と、前記山折りしたコーナーフラップの先端同士とに接着していることを特徴とする、易展開性紙製トレー状容器である。
【００１２】
このように請求項３記載の発明によれば、フランジ延長片は、該フランジ延長片に重なる側面板と、山折りしたコーナーフラップの先端同士とに接着しているので、比較的強固に接着しているトレー状容器である。
【００１３】
また、請求項４の発明は、請求項１の発明において、前記フランジ延長片は、該フランジ延長片とフランジ重合片の境界の折り曲げ線に、フランジ重合片寄りに突出した突起を形成させ、該突起と嵌合していることを特徴とする、易展開性紙製トレー状容器である。
【００１４】
このように請求項４記載の発明によれば、フランジ延長片とフランジ重合片の境界の折り曲げ線に、フランジ重合片寄りに突出した突起を形成させて、フランジ延長片に突起を嵌合させることによりコーナーフラップを保持できる。
【００１５】
また、請求項５の発明は、請求項１〜４のいずれか１項の発明において、前記相対向する一対のフランジは、前記フランジ延長片が連設していない方のフランジ舌片を上にして組み立てられていることを特徴とする、易展開性紙製トレー状容器である。
【００１６】
このように請求項５記載の発明によれば、相対向する一対のフランジは、フランジ延長片が連設していない方のフランジ舌片を上にして組み立てられているので、フランジ延長片の形成された側面板が内側に倒れることを防止し、トレーとしての形状を保ことができる。
【００１７】
【発明の実施の形態】
本発明の易展開性紙製トレー状容器を一実施形態に基づいて以下に詳細に説明する。
図１は本発明の易展開性紙製トレー状容器のブランクの一実施例を示す展開説明図であり、図２は、図１を容器状に組み立てた状態の一実施例を示す斜視説明図である。
【００１８】
はじめにブランク（１０）を図１に基づいて説明する。
方形の底面板（１１）の相対向する一方の一対の二辺には、それそれ折り曲げ線を介して側面板（１２）とフランジ（１３）が順次連設されている。
各フランジ（１３）の左右端はそれぞれ横方向に延びてフランジと略同幅のフランジ舌片（１３１、１３１）が形成されている。
【００１９】
方形の底面板（１１）の相対向するもう一方の一対の二辺には、それそれ折り曲げ線を介して側面板（１４）とフランジ（１５）が順次連設されている。
各フランジ（１５）の左右端はそれぞれ横方向に延びてフランジと略同幅のフランジ舌片（１５１、１５１）が形成されている。
【００２０】
各側面板（１２）と側面板（１４）の間には、隣接する側面板を互いに連設するコーナーフラップ（１６）が設けられ、該コーナーフラップには、底面板の各隅部を起点にして斜め外方に向けて各コーナーフラップを略二等分する折り曲げ線（ｂ）が設けられている。
【００２１】
そして、二組あるうちのどちらか一方の相対向する一対のフランジ（１３）の端縁（図１では短い方のフランジ）には、それぞれ折り曲げ線を介してフランジ重合片（１８）とフランジ延長片（１７）が順次連設されている。
【００２２】
ブランクに使用する紙基材としては、適度な剛性を有するとともに、用途によっては電子レンジやオーブン等による加熱に対する耐性を持たせるため、加熱による臭気の発生の少ない、また、加熱調理により発生する水分の付着を防止する必要から、耐水性があり紙端面から水分の吸収が少ない材質を用いる必要がある。これらの要求を満たす材質として、坪量が１５０〜４００ｇ／ｍ２  程度のカップ原紙などのバージン紙が好適に使用できる。
【００２３】
紙基材の片面、あるいは両面に耐熱性のあるポリプロピレン樹脂、アンモルファスポリエステル樹脂等を積層した複合紙を用いても良い。
【００２４】
つぎに、このような形状のブランク（１０）からトレー状容器に組み立てる手順の一例を述べる。
【００２５】
方形の底面板（１１）の四辺を折り曲げ線に沿って４つの側面板（１２、１２、１４、１４）を折り曲げるとともに、４隅のコーナーフラップを折り曲げ線（ｂ）に沿って山折りし、さらに、４つの側面板の先縁に連設されているフランジ（１３、１３、１５、１５）を折り曲げ線に沿って谷折りする。
【００２６】
先に山折りして折り曲げた４隅のコーナーフラップ（１６、１６、１６、１６）の各々一対ずつのコーナーフラップの先端同士を対向させるようにフランジ延長片（１７）が形成されている方（ここでは短い方）の側面板（１２）寄りに折り曲げるとともに、フランジ（１３）の先縁に連設されているフランジ重合片（１８）およびフランジ延長片（１７）を、折り曲げ線に沿って山折りするなり谷折りするなどして一対のコーナーフラップ（１６、１６）、特にコーナーフラップの先端部分（１６１、１６１）を覆うようにしてトレー状容器（２０）に組み立てる（図２参照）。
【００２７】
このとき、隣接するフランジ同士（１３と１５）は、互いにフランジ延長片（１７）が連設されていない方のフランジ（１５）を上にして組み立てる。すなわち、フランジ舌片（１５１、１５１）を上にして、フランジ舌片（１３１、１３１）を下にして組み立てることが肝要である。
【００２８】
このことにより、フランジ延長片（１７）の連設されている側面板（１２）が容器の内側に倒れることを防止し、トレー容器としての形状を保っている。
この際、上になる方のフランジ舌片（１５１、１５１）にフランジ舌片を横切る折り曲げ線（ｃ）を設けると、隣り合うフランジ同士が重ね易く、さらに好ましい。
【００２９】
トレー状容器を保つためのコーナーフラップ等の保持方法は、上述のフランジ延長片（１７）と側面板（１２）の一か所を接着させる方法のほかに、フランジ延長片（１７）と側面板（１２）と同時に、折り返した２か所のコーナーフラップ（１６）と側面板（１２）の合計３か所を接着させる方法を取っても良い。
【００３０】
さらに図４に示すように、フランジ延長片（１７）とフランジ重合片（１８）の境界の折り曲げ線に、部分的にフランジ重合片（１８）寄りの突出した突起（１７１）を、例えば、２か所程度形成させて、嵌合等の方法により保持させる方法を取っても良い。
【００３１】
フランジ延長片（１７）の形状は、折り曲げたコーナーフラップ（１６）の先端を押さえることができるものであればどんな形状であっても良い。形状の一例を図５（ａ）〜（ｄ）に示す。
【００３２】
図５（ｄ）に示すように、フランジ延長片（１７）をつまみ易くするための折り曲げ線（ｄ）を、フランジ延長片（１７）が設けられているフランジ（１３）と平行に設けても良い。
【００３３】
つぎに、こうして組み立てたトレー状容器を展開する手順の一例を述べる。
例えば、易展開性紙製トレー状容器にケーキ材料等を入れてオーブンなどで加熱調理した後、一対のフランジ延長片（１７、１７）を引っ張るとフランジ延長片は側面板（１２、１２）から剥がれ、付随して折り曲げたコーナーフラップ（１６、１６）も開き、もう一対の側面板（１４、１４）も開いて、ほとんどワンッッチの動作で簡単に平皿のように展開することができ、内容物（３０）である調理済のケーキを容易に取り出すことができる。あるいは、そのまま中身を食べ易い状態にすることができる。
【００３４】
【発明の効果】
本発明の易展開性紙製トレー状容器は以上のような構成、作用を有しているため、フランジに連設されているフランジ延長片を引っ張ることによりワンタッチで，容易にトレー状容器を展開することができ、平皿状態になる。
また、側面板と側面板の間のコーナーフラップは折り返してあるため、中に液体を入れても漏れることがないし、紙端面が出ていないため紙への染み込みもない。
【図面の簡単な説明】
【図１】本発明の易展開性紙製トレー状容器のブランクの一実施例を示す、展開説明図である。
【図２】図１のブランクを組み立て易展開性紙製トレー状容器とした状態を示す、斜視説明図である。
【図３】易展開性紙製トレー状容器を示す、（ａ）は展開前の斜視説明図であり、（ｂ）は展開後の斜視説明図である。
【図４】本発明の易展開性紙製トレー状容器のブランクの別の実施例を示す、展開説明図である。
【図５】（ａ）〜（ｄ）はフランジ延長片の形状の一実施例を示す、説明図である。
【図６】従来の紙製トレー状容器を示す、（ａ）は展開説明図であり、（ｂ）は組み立て後の斜視説明図である。
【図７】従来の別の紙製トレー状容器を示す、（ａ）は展開説明図であり、（ｂ）は組み立て後の斜視説明図である。
【符号の説明】
１０‥‥ブランク
１１‥‥底面板
１２‥‥側面板
１３‥‥フランジ
１３１‥‥フランジ舌片
１４‥‥側面板
１５‥‥フランジ
１５１‥‥フランジ舌片
１６‥‥コーナーフラップ
１６１‥‥コーナーフラップの先端
１７‥‥フランジ延長片
１８‥‥フランジ重合片
ｂ‥‥折り曲げ線
ｃ‥‥折り曲げ線
ｄ‥‥折り曲げ線
２０‥‥紙製トレー状容器
３０‥‥内容物
５１‥‥舌片
５２‥‥側面板
６１‥‥折り込み接合片
６２‥‥第２折り込み接合片
６３‥‥側面板
【図１】
2004352330.tif 000003
【図２】
2004352330.tif 000004
【図３】
2004352330.tif 000005
【図４】
2004352330.tif 000006
【図５】
2004352330.tif 000007
【図６】
2004352330.tif 000008
【図７】
2004352330.tif 000009